(57)【要約】      （修正有）【課題】平面上に戴置して風を受けて滑動させることによって装飾体の観賞者を楽しませる滑動装飾体につき、コンパクトな構造にして簡便に滑動させることができ、様々な装飾物を観賞することができるとともに、使用者の所望の時期に滑動を停止させることができるようにした滑動装飾体を提供する。【解決手段】滑動装飾体１は、平皿等の平面Ａの上に戴置して送風機Ｂ等からの風を受けて滑動する滑動装飾体であって、氷で形成されている台状の部材である基台２と、基台２の上面を覆う止着部材３と、止着部材３の上面に着脱自在に取り付けられている装飾物４とから構成される。【選択図】図２
0003190681.tif 000002
【実用新案登録請求の範囲】
【請求項１】
平面上に戴置して風を受けて滑動する滑動装飾体であって、氷で形成されている台状の部材である基台と、該基台の上面を覆う止着部材と、該止着部材の上面に着脱自在に取り付けられている装飾物とからなることを特徴とする滑動装飾体。
【請求項２】
平面上に戴置して風を受けて滑動する滑動装飾体であって、氷で形成されている台状の部材である基台と、該基台の上面を覆う止着部材と、該止着部材の上面に着脱自在に取り付けられている回転羽根部材とからなることを特徴とする滑動装飾体。
【請求項３】
平面上に戴置して風を受けて滑動する滑動装飾体であって、基台と、止着部材と、装飾物とからなり、該基台は、氷で形成されている台状の部材であり、該止着部材は、該基台の上面を覆う部材であって、その上面には平面部と凹部とが設けられていて、該凹部には氷が充填されており、該装飾物は、該凹部に充填された氷によって支持されており、該平面部側に重心があるように形成されていることを特徴とする滑動装飾体。
【請求項４】
平面上に戴置して風を受けて滑動する滑動装飾体であって、基台と、止着部材と、装飾物とからなり、該基台は、氷で形成されている台状の部材であり、該止着部材は、該基台の上面を覆う部材であって、その上面には複数の凹部が設けられており、該凹部の底面は該止着部材の外側から内側に向かって下方向に傾斜する傾斜面になっていて、該凹部には氷が充填されており、該装飾物は、複数個備えられていて、お互いに引き合うように磁石体が取り付けられており、該凹部に充填された氷の上面に戴置されていることを特徴とする滑動装飾体。
【請求項５】
平面上に戴置して風を受けて滑動する滑動装飾体であって、基台と、装飾物とからなり、該基台は、氷で形成されている台状の部材であって、台座部と、突出部とからなり、該台座部の上面に該突出部が形成されており、該装飾物は、複数個備えられていて、該装飾物がお互いに引き合うように磁石体が取り付けられており、該突出部を挟み込み該突出部に寄り掛かるようにして該台座部の上面に着脱自在に戴置されていることを特徴とする滑動装飾体。
【請求項６】
平面上に戴置して風を受けて滑動する滑動装飾体であって、基台と、収容容器と、装飾物と、ストッパーとからなり、該基台は、氷で形成されている台状の部材であって、該収容容器内に収容されており、該収容容器は、上面を閉じた筒状の部材であり、該装飾物は、該収容容器の上面に着脱自在に戴置されており、該ストッパーは、線状の部材であって、取付部と、係止部と、アーム部と、停止部とからなり、該取付部は基台の側面に取り付いており、該取付部から延びる該係止部は該収容容器の側面に係止されており、該係止部から延びる該アーム部の端部には該停止部が設けられていることを特徴とする滑動装飾体。
【考案の詳細な説明】
【技術分野】
【０００１】
本考案は、玩具、室内装飾品、及び広告宣伝部材等として用いる装飾体に関し、特に、平皿等の平面の上に戴置して風を受けて滑動させることによって該装飾体の観賞者を楽しませる滑動装飾体に関する。
【背景技術】
【０００２】
従来、楕円枠状に形成した枠体の内部に小球を収容して該枠体を傾斜面上に戴置して滑走させる玩具が提案されている（例えば、特許文献１参照。）。また、コマに回転羽根を取り付けて該回転羽根に風を受けて回転させるコマ玩具が提案されている（例えば、特許文献２参照。）。更に、車体に回動自在の風車を取り付けて該風車に風を受けて車輪を駆動させる車玩具も提案されている（例えば、特許文献３参照。）。
【先行技術文献】
【特許文献】
【０００３】
【特許文献１】実登３１２７７２９号公報
【特許文献２】実開昭５２−４８９９９号公報
【特許文献３】実開昭４９−３３８８０号公報
【考案の概要】
【考案が解決しようとする課題】
【０００４】
しかしながら、上記の従来技術に係る滑動玩具において、重力によって該滑動玩具を滑動させるものは、比較的単純な構造を採用することができるものの、該滑動玩具を戴置する平面を傾斜面にしなければならないという問題がある（例えば、特許文献１参照。）。また、風力等によって該玩具を作動させるものは、該玩具を水平面上に戴置することができるものの、比較的複雑な構造を採用しなければならないという問題がある（例えば、特許文献２及び３参照。）。そこで、本考案の解決しようとする第一の課題は、平面上に戴置して風を受けて滑動する滑動装飾体につき、コンパクトな構造のものとし、簡便に滑動させることのできる滑動装飾体を提供することにある。
【０００５】
ところで、観賞者が観賞の対象とする装飾物として長期間同じものを飾っていると観賞者が飽きてしまうという問題があるため、適宜装飾物を交換したりあるいは複数の装飾物を組み合わせたりして用いるのが好適である。そこで、本考案の解決しようとする第二の課題は、平面上に戴置して風を受けて滑動する滑動装飾体につき、様々な装飾物を観賞することができるようにした滑動装飾体を提供することにある。
【０００６】
また、上記の従来技術に係る滑動玩具は、該滑動玩具が滑動するスペースの終点に到着しない限りあるいは風等が止まない限り滑動しているため、使用者の所望の時期にその滑動を停止させることができなかった。そこで、本考案の解決しようとする第三の課題は、平面上に戴置して風を受けて滑動する滑動装飾体につき、使用者の所望の時期に滑動を停止させることができるようにした滑動装飾体を提供することにある。
【課題を解決するための手段】
【０００７】
本考案は、上記の各課題を解決するために提案されたものであり、以下の構成を有するものである。以下では、本考案の構成を理解するのを補助するため、本願に添付した図面に表示した番号及び符号を併せて記載する。
【０００８】
請求項１に係る滑動装飾体１は、平面上に戴置して風を受けて滑動する滑動装飾体であって、氷で形成されている台状の部材である基台２と、基台２の上面を覆う止着部材３と、止着部材３の上面に着脱自在に取り付けられている装飾物４とからなる。
【０００９】
請求項２に係る滑動装飾体１は、平面上に戴置して風を受けて滑動する滑動装飾体であって、氷で形成されている台状の部材である基台２と、基台２の上面を覆う止着部材３と、止着部材３の上面に着脱自在に取り付けられている回転羽根部材５とからなる。
【００１０】
請求項３に係る滑動装飾体１は、平面上に戴置して風を受けて滑動する滑動装飾体であって、基台２と、止着部材３と、装飾物４とからなる。基台２は、氷で形成されている台状の部材である。止着部材３は、基台２の上面を覆う部材であって、その上面には平面部３ｃと凹部３ｄとが設けられており、凹部３ｄには氷３ｅが充填されている。装飾物４は、凹部３ｄに充填された氷３ｅによって支持されており、平面部３ｃ側に重心があるように形成されている。
【００１１】
請求項４に係る滑動装飾体１は、平面上に戴置して風を受けて滑動する滑動装飾体であって、基台２と、止着部材３と、装飾物４とからなる。基台２は、氷で形成されている台状の部材である。止着部材３は、基台２の上面を覆う部材であって、その上面には複数の凹部３ｄが設けられており、凹部３ｄの底面は止着部材３の外側から内側に向かって下方向に傾斜する傾斜面になっていて、凹部３ｄには氷３ｅが充填されている。装飾物４は、複数個備えられていて、装飾物４がお互いに引き合うように磁石体４ｅが取り付けられており、凹部３ｄに充填された氷３ｅの上面に着脱自在に戴置されている。
【００１２】
請求項５に係る滑動装飾体１は、平面上に戴置して風を受けて滑動する滑動装飾体であって、基台２と、装飾物４とからなる。基台２は、氷で形成されている台状の部材であって、台座部２ａと、突出部２ｂとからなり、台座部２ａの上面に突出部２ｂが形成されている。装飾物４は、複数個備えられていて、装飾物４がお互いに引き合うように磁石体４ｅが取り付けられており、突出部２ｂを挟み込み突出部２ｂに寄り掛かるようにして台座部２ａの上面に着脱自在に戴置されている。
【００１３】
請求項６に係る滑動装飾体は、平面上に戴置して風を受けて滑動する滑動装飾体であって、基台２と、収容容器６と、装飾物４と、ストッパー７とからなる。基台２は、氷で形成されている台状の部材であって、収容容器６内に収容されている。収容容器６は、上面を閉じた筒状の部材である。装飾物４は、収容容器６の上面に着脱自在に戴置されている。ストッパー７は、線状の部材であって、取付部７ａと、係止部７ｂと、アーム部７ｃと、停止部７ｄとからなり、取付部７ａは基台２の側面に取り付いており、取付部７ａから延びる係止部７ｂは収容容器６の側面に係止されており、係止部７ｂから延びるアーム部７ｃの端部には停止部７ｄが設けられている。
【考案の効果】
【００１４】
本考案に係る滑動装飾体は、上記の通りの構成であるから、以下のような効果を奏することができる。
【００１５】
まず、請求項１に記載した滑動装飾体は、前記基台が氷で形成されている台状の部材であるから、該滑動装飾体を平面上に戴置して風を当てることによって、該基台を形成している氷が溶融することに伴い、該平面上を滑動させることができる。従って、請求項１に記載した滑動装飾体は、平面上に戴置して風を受けて滑動する滑動装飾体につき、コンパクトな構造のものとし、簡便に滑動させることのできる滑動装飾体を提供するという本考案が解決しようとする第一の課題を解決することができる。
【００１６】
特に、請求項２に記載した滑動装飾体は、前記回転羽根部材が備えられているところ、該滑動装飾体が風を受けて平面上を滑動するのに好適である。
【００１７】
また、請求項１に記載した滑動装飾体は、前記装飾物が前記止着部材を介して前記基台に着脱自在に取り付けられていることから、使用者は所望の該装飾物を用いることができる。従って、請求項１に記載した滑動装飾体は、平面上に戴置して風を受けて滑動する滑動装飾体につき、様々な装飾物を観賞することができるようにした滑動装飾体を提供するという本考案が解決しようとする第二の課題を解決することができる。
【００１８】
特に、請求項３に記載した滑動装飾体は、前記止着部材の上面には平面部と凹部とが設けられており、該凹部には氷が充填されていて、前記装飾物が、該凹部に充填された氷によって支持されており、該平面部側に重心があるように形成されていることから、該凹部に充填された氷が溶融することに伴って該装飾物が徐々に該平面部側に倒れ込む動作を行うことから、鑑賞者を楽しませるのに好適である。
【００１９】
そして、請求項４に記載した滑動装飾体は、前記止着部材の上面には複数の凹部が設けられており、該凹部の底面が該止着部材の外側から内側に向かって下方向に傾斜する傾斜面になっていて、該凹部には氷が充填されており、前記装飾物は、複数個備えられていて、該装飾物がお互いに引き合うように磁石体が取り付けられており、該凹部に充填された氷の上面に戴置されているため、該凹部に充填された氷が溶融することに伴って該装飾物がお互いに徐々に引き寄せられていく動作を行うことから、鑑賞者を楽しませるのに好適である。
【００２０】
同様に、請求項５に記載した滑動装飾体は、前記基台が前記台座部の上面に前記突出部を形成しており、前記装飾物が複数個備えられていて該装飾物がお互いに引き合うように磁石体が取り付けられているため、該基台を形成する氷が溶融することに伴って該装飾物がお互いに徐々に引き寄せられていく動作を行うことから、鑑賞者を楽しませるのに好適である。
【００２１】
そして、請求項６に記載した滑動装飾体は、前記ストッパーが備えられていることから、前記基台を形成する氷の溶融が進行すると該基台の側面と前記取付部との間に間隔が生じ、前記係止部を支点にして前記アーム部が下降し、前記停止部が平面へと落下することによって、該滑動装飾体の滑動を停止させることができる。従って、請求項６に記載した滑動装飾体は、平面上に戴置して風を受けて滑動する滑動装飾体につき、使用者の所望の時期に滑動を停止させることができるようにした滑動装飾体を提供するという本考案が解決しようとする第三の課題を解決することができる。
【図面の簡単な説明】
【００２２】
【図１】本考案の第一実施形態に係る滑動装飾体を示した斜視図である。
【図２】本考案の第一実施形態に係る滑動装飾体を使用する状態を説明する図である。
【図３】本考案の第二実施形態に係る滑動装飾体を示した斜視図である。
【図４】本考案の第二実施形態に係る滑動装飾体を分解した状態を説明する図である。
【図５】本考案の第三実施形態に係る滑動装飾体を示した側面視一部断面図である。
【図６】本考案の第四実施形態に係る滑動装飾体を示した斜視図である。
【図７】本考案の第四実施形態に係る止着部材につき氷を充填していない状態を示した斜視図である。
【図８】本考案の第四実施形態に係る止着部材を示した断面図である。
【図９】本考案の第五実施形態に係る滑動装飾体を示した斜視図である。
【図１０】本考案の第六実施形態に係る滑動装飾体を示した正面視一部縦断面図である。
【図１１】本考案の第六実施形態に係る滑動装飾体を示した平面視一部横断面図である。
【考案を実施するための形態】
【００２３】
まず、本考案の第一実施形態に係る滑動装飾体の構造及びその使用態様について添付図面に基づいて説明する。
【００２４】
本考案の一実施形態に係る滑動装飾体１は、平面上に戴置して風を受けて滑動する滑動装飾体であって、図１及び２に図示するように、基台２と、止着部材３と、装飾物４とから構成される。
【００２５】
基台２は、平面Ａの上で溶融して滑動装飾体１を滑動させるための部材であって、図１及び２に図示するように、氷で形成されている台状の部材である。基台２は、例えばペットボトルの下部を切り取った容器あるいはアイスクリーム用カップ又は即席麺用カップ等を製氷容器として用い、該製氷容器に水道水等を入れて冷凍庫等で凍らせることによって簡便に形成することができる。従って、使用者は、所望の形状を有する製氷容器を用いることによって様々な形状からなる基台２を形成することができる。よって、図では、基台２は略円柱状の部材であって、下方に向かってややすぼんだ形状の部材であるが、基台２の形状はこれに限定されるものではない。あわせて、使用者は、水に色素を混合させて凍らせることによって、様々な色彩を帯びた基台２を形成することもできる。
【００２６】
止着部材３は、図１及び２に図示するように、基台２の上面を覆う部材であって、装飾物４を止着するための部材であり、基台２の上部を取り囲む枠体３ａの上端部に基台２の上面を覆う平板３ｂを取り付けた紙製の部材である。例えば、上記の製氷容器としてアイスクリーム用カップを用いた場合には、該アイスクリーム用カップの蓋を止着部材３として用いることができる。よって、図では、止着部材３は円筒状の枠体３ａの上端部に正円状の平板３ｂを取り付けた部材であるが、基台２の上面を覆うことができるならば、止着部材３の形状はこれに限定されるものではない。
【００２７】
装飾物４は、図１及び２に図示するように、ハート形や星形等の様々な形状をした装飾板４ａをピン４ｂの上部に取り付けたものである。もちろん、図示するもの以外の様々な形状をした装飾板やキャラクターを描いた装飾板等を用いることもできる。また、装飾板ではなく、マスコット等を用いることもできる。使用者は、単一の装飾物４を用いることもできるが、図示するように、複数の装飾物４を用いることももちろん可能である。その際は、同一の形状又は大きさからなる装飾物４を用いることも可能であるが、図示するように、それぞれに形状又は大きさが異なる装飾物４を用いることも可能であり、使用者は様々な態様からなる滑動装飾体１を観賞することが可能である。
【００２８】
使用者は、図１及び２に図示するように、基台２に止着部材３を被せ、ピン４ｂの下端を止着部材３の上面に突き刺して装飾物４を取り付け、滑動装飾体１を形成した上で、平皿等の平面Ａの上に滑動装飾体１を戴置する。尚、平面Ａに傾斜を付けると、滑動装飾体１の一層多様な滑動動作を楽しむこともできる。滑動装飾体１を屋外で用いる場合には、滑動装飾体１は自然の風を受けるとともに、基台２が溶融するのに伴って、平面Ａの上を滑動する。一方、滑動装飾体１を屋内又は無風状態の屋外で用いる場合には、扇風機等の送風機Ｂを用いることによって、滑動装飾体１は送風機Ｂから送り出される風を受けるとともに、基台２が溶融するのに伴って、平面Ａの上を滑動する。
【００２９】
滑動装飾体１は、上記のようにして平面上に戴置して風を受けて滑動することによってその観賞者を楽しませることができ、玩具、室内装飾品、及び広告宣伝部材等として用いる装飾体として好適である。
【００３０】
以上が、本考案の第一実施形態に係る滑動装飾体についての説明である。次に、本考案の第二実施形態に係る滑動装飾体の構造及びその使用態様について添付図面に基づいて説明する。尚、本考案の第二実施形態に係る滑動装飾体の構造及びその使用態様は、下記の事項以外、前記の本考案の第一実施形態に係る滑動装飾体の構造及びその使用態様と同一である。
【００３１】
滑動装飾体１は、図３に図示するように、回転羽根部材５が取り付けられている。回転羽根部材５は、図４に図示するように、ピン５ａと、支柱５ｂと、アーム５ｃと、羽根５ｄとから構成される。ピン５ａは、その下端部が尖っている円柱状の部材であり、止着部材３の上面に突き刺して取り付けることができる。支柱５ｂは、上面を閉じた円筒状の部材であり、ピン５ａを下部から嵌入させることができる。アーム５ｃは、針金等の線状の部材であって、支柱５ｂの上端部を挿通している。羽根５ｄは、椀形の部材であって、アーム５ｃの両端に開口部が垂直になるようにするとともに開口する方向が逆になるようにしてそれぞれ取り付けられている。もっとも、羽根５ｄは平板状の部材等のように風を受けることができる形状であればよく、必ずしも図示する形状に限定されるものではない。また、羽根５ｄには模様等を描くことによって、滑動装飾体１の装飾性を一層増大させることができる。また、回転羽根部材５は風を受けて回転することができればよいため、例えばピンに複数枚の羽根を取り付けた風車状の部材を止着部材３の上面に取り付けてもよい。
【００３２】
使用者は、基台２に止着部材３を被せ、ピン５ａの下端を止着部材３の上面に突き刺し、支柱５ｂをピン５ａの上から被せて、回転羽根部材５を取り付け、滑動装飾体１を形成した上で、平皿等の平面Ａの上に滑動装飾体１を戴置する。羽根５ｄに風を受けることによって回転羽根部材５が回転するため、滑動装飾体１は基台２の溶融も伴って平面Ａの上を回転しながら滑動する。
【００３３】
以上が、本考案の第二実施形態に係る滑動装飾体についての説明である。次に、本考案の第三実施形態に係る滑動装飾体の構造及びその使用態様について添付図面に基づいて説明する。尚、本考案の第三実施形態に係る滑動装飾体の構造及びその使用態様は、下記の事項以外、前記の本考案の第一実施形態又は第二実施形態に係る滑動装飾体の構造及びその使用態様と同一である。
【００３４】
止着部材３は、図５に図示するように、基台２の上面を覆う台状の部材であって、その上面には平面部３ｃと凹部３ｄとが設けられており、凹部３ｄには氷３ｅが充填されている。装飾物４は、装飾板４ａと、ピン４ｂと、戴置板４ｃと、錘部材４ｄとからなる。即ち、装飾板４ａはピン４ｂの上部に取り付けられており、平板状の戴置板４ｃは装飾板４ａの下部から前方に突出するようにして延設されており、錘部材４ｄは装飾板４ａの前方に取り付けられている。装飾物４は、ピン４ｂを突き刺すことによって凹部３ｄに充填された氷３ｅによって支持されており、錘部材４ｄによって平面部３ｃ側に重心があるように形成されている。
【００３５】
使用者は、ピン４ｂを凹部３ｄに充填された氷３ｅに突き刺すとともに、戴置板４ｃの下面が平面部３ｃの上面に位置するようにして装飾物４を止着部材３に取り付けて、滑動装飾体１を形成した上で、平皿等の平面Ａの上に滑動装飾体１を戴置する。滑動装飾体１は風を受けるとともに、基台２が溶融するのに伴って、平面Ａの上を滑動する。そして、凹部３ｄに充填された氷３ｅが溶融するのに伴って、装飾板４ａが徐々に平面部３ｃ側に倒れ込む動作を行う。例えば人物を描いた装飾板４ａを用いると、徐々にお辞儀をしていく動作を示すため、鑑賞者を楽しませるのに好適である。
【００３６】
以上が、本考案の第三実施形態に係る滑動装飾体についての説明である。次に、本考案の第四実施形態に係る滑動装飾体の構造及びその使用態様について添付図面に基づいて説明する。尚、本考案の第四実施形態に係る滑動装飾体の構造及びその使用態様は、下記の事項以外、前記の本考案の第一実施形態ないし第三実施形態に係る滑動装飾体の構造及びその使用態様と同一である。
【００３７】
止着部材３は、図６ないし８に図示するように、基台２の上面を覆う台状の部材であって、その上面には複数の凹部３ｄが設けられており、凹部３ｄの底面が止着部材３の外側から内側に向かって下方向に傾斜する傾斜面になっていて、凹部３ｄには氷３ｅが充填されている。尚、止着部材３の上面には氷３ｅが溶融した際に凹部３ｄから平面Ａへと水を排出するための溝状の排水路３ｆを設けてもよい。装飾物４は、複数個備えられていて、お互いに引き合うように磁石体４ｅが取り付けられており、凹部３ｄに充填された氷３ｅの上面に戴置されている。図では装飾物４は２個備えられているが、特にその個数は限定されない。図では装飾物４はマスコットであるが、例えば飲料用のペットボトルの蓋部に人物の顔を描いた装飾板を取り付けたマスコットを用いることもできる。また、顔の表情が変化する構造を有する公知のマスコットを用いることもできる。
【００３８】
使用者は、氷３ｅの上面に装飾物４を戴置して、滑動装飾体１を形成した上で、平皿等の平面Ａの上に滑動装飾体１を戴置する。滑動装飾体１は風を受けるとともに、基台２が溶融するのに伴って、平面Ａの上を滑動する。氷３ｅが溶融するのに伴って、装飾物４が磁石体４ｅの磁力によってお互いに徐々に引き寄せられていく動作を行う。図示するように、装飾物４としてカップルを表すマスコットを用いると、お互いに引き寄せられていく動作を示すため、滑動装飾体１はカップル向けの装飾体としても好適である。
【００３９】
以上が、本考案の第四実施形態に係る滑動装飾体についての説明である。次に、本考案の第五実施形態に係る滑動装飾体の構造及びその使用態様について添付図面に基づいて説明する。尚、本考案の第五実施形態に係る滑動装飾体の構造及びその使用態様は、下記の事項以外、前記の本考案の第一実施形態ないし第四実施形態に係る滑動装飾体の構造及びその使用態様と同一である。
【００４０】
基台２は、図９に図示するように、氷で形成されている台状の部材であって、台座部２ａと突出部２ｂとから構成される。図では、台座部２ａは略円柱状であって下方に向かってややすぼんだ形状であり、突出部２ｂは台座部２ａの上面から突き出して上方に向かってややすぼんだ形状であるが、台座部２ａ及び突出部２ｂの形状は特にこれに限定されるものではない。
【００４１】
装飾物４は、図９に図示するように、例えばマスコット等を用いることができ、台座部２ａの上面に複数個戴置した際にお互いに引き合うように磁石体４ｅが取り付けられている。装飾物４は、図示するように、複数個備えられており、突出部２ｂを挟み込むようにするとともに突出部２ｂに寄り掛かるようにしてやや傾きをもたせて台座部２ａの上面に戴置されている。図では、装飾物４は２個備えられているが、特にその個数は限定されない。
【００４２】
使用者は、突出部２ｂを挟み込むようにして台座部２ａの上面に装飾物４を戴置して、滑動装飾体１を形成した上で、平皿等の平面Ａの上に滑動装飾体１を戴置する。滑動装飾体１は風を受けるとともに、基台２が溶融するのに伴って、平面Ａの上を滑動する。突出部２ｂが溶融するのに伴って、装飾物１が磁石体４ｅの磁力によってお互いに徐々に引き寄せられていく動作を行う。上記の第四実施形態に係る滑動装飾体と同様に、装飾物４としてカップルを表すマスコットを用いると、お互いに引き寄せられていく動作を示すため、滑動装飾体１はカップル向けの装飾体としても好適である。
【００４３】
以上が、本考案の第五実施形態に係る滑動装飾体についての説明である。次に、本考案の第六実施形態に係る滑動装飾体の構造及びその使用態様について添付図面に基づいて説明する。尚、本考案の第六実施形態に係る滑動装飾体の構造及びその使用態様は、下記の事項以外、前記の本考案の第一実施形態ないし第五実施形態に係る滑動装飾体の構造及びその使用態様と同一である。
【００４４】
収容容器６は、図１０及び１１に図示するように、上面を閉じた円筒状の部材であって、側面の相対する位置に２ヵ所孔部６ａが穿設されており、基台２をその内部に収容するとともに、ストッパー７を係止するための部材である。もちろん、基台２をその内部に収容することができればよいため、収容容器６の形状は特に図示する形状に限定されるものではない。
【００４５】
ストッパー７は、図１０及び１１に図示するように、針金等の線状の部材であって、取付部７ａと、係止部７ｂと、アーム部７ｃと、停止部７ｄとからなる。取付部７ａは、平面視半円状に湾曲させて形成されており、基台２の側面に取り付いている。もっとも、取付部７ａの形状は、基台２の側面形状に合わせて様々な形状にすることができ、基台２の側面に取り付くことができれば、特にその形状は限定されない。係止部７ｂは、取付部７ａの両端から延びて平面視半円状に湾曲させて形成されており、孔部６ａに挿通されて収容容器６の側面に係止されている。アーム部７ｃは双方の係止部７ｂからそれぞれ直線状に延びており、停止部７ｄは双方のアーム部７ｃの先端からリング状に湾曲させて形成されている。図示するように、停止部７ｄに装飾物４を把持させることも可能である。
【００４６】
使用者は、係止部７ｂを孔部６ａに挿通させてストッパー７を収容容器６に取り付け、取付部７ａが基台２の側面に取り付くようにして収容容器６を基台２の上から被せ、収容容器６の上面に装飾物４を戴置して、滑動装飾体１を形成した上で、平皿等の平面Ａの上に滑動装飾体１を戴置する。滑動装飾体１は風を受けるとともに、基台２が溶融するのに伴って、平面Ａの上を滑動する。基台２の溶融が進行すると基台２の側面と取付部７ａとの間に間隔が生じ、係止部７ｂを支点にしてアーム部７ｃが下降し、停止部７ｄが平面Ａへと落下することによって、滑動装飾体１の滑動を停止させることができる。尚、停止部７ｄに把持させる装飾物４の下端に粘土等の粘着体を取り付けると、滑動装飾体１の滑動を停止させるのに好適である。図示するように、装飾物４として受験生を表すマスコットを用いると、滑動装飾体１が滑動を停止することは受験生が受験に失敗しないという意味につながるため、滑動装飾体１は受験生の縁起かつぎの装飾体としても好適である。
【符号の説明】
【００４７】
１  滑動装飾体
２  基台
２ａ  台座部
２ｂ  突出部
３  止着部材
３ａ  枠体
３ｂ  平板
３ｃ  平面部
３ｄ  凹部
３ｅ  氷
３ｆ  排水路
４  装飾物
４ａ  装飾板
４ｂ  ピン
４ｃ  戴置板
４ｄ  錘部材
４ｅ  磁石体
５  回転羽根部材
５ａ  ピン
５ｂ  支柱
５ｃ  アーム
５ｄ  羽根
６  収容容器
６ａ  孔部
７  ストッパー
７ａ  取付部
７ｂ  係止部
７ｃ  アーム部
７ｄ  停止部
Ａ  平面
Ｂ  送風機
【図１】
0003190681.tif 000003
【図２】
0003190681.tif 000004
【図３】
0003190681.tif 000005
【図４】
0003190681.tif 000006
【図５】
0003190681.tif 000007
【図６】
0003190681.tif 000008
【図７】
0003190681.tif 000009
【図８】
0003190681.tif 000010
【図９】
0003190681.tif 000011
【図１０】
0003190681.tif 000012
【図１１】
0003190681.tif 000013